(57)【要約】【課題】  ショルダーベルトの連結金具に係脱自在に係止される係止金具であって、使用中に連結金具10のフック部10ａがカバンの側部を損傷しないようにする。【解決手段】  金具本体１の下端部に一対の脚部２を対向して突設し、それらの間に第１軸部３を連結し、その金具本体１の上端部に一対のアーム部４を対向して配置し、両アーム部４間に第２軸部５を連結する。そして第１軸部３と第２軸部５とが互いに直交するように配置される。【選択図】        図１
0003125099.tif 000002
【実用新案登録請求の範囲】
【請求項１】
カバン(9) またはバックの側部(9a)に取付られ、ショルダーベルト(8) の端部に設けた連結金具(10)のフック部(10a) に係脱自在に係止されるショルダーベルトの係止金具において、
金具本体(1) の下端部に一対の脚部(2) が対向して突設され、両脚部(2) 間が第１軸部(3) で連結され、
その金具本体(1) の上端部に一対のアーム部(4) が対向して配置され、両アーム部(4) 間が第２軸部(5) で連結され、
第１軸部(3) と第２軸部(5) とが互いに直交するように配置され、
その第１軸部(3) が前記カバン(9) またはバックの側部(9a)に平行に取付られるように構成されたことを特徴とするショルダーベルトの係止金具。
【請求項２】
請求項１において、
前記金具本体(1) は、中央部に開口部(6) を有する金属板片が、その開口の中間で折返し曲折されて、前記一対の脚部(2) をその折返し曲折部に形成すると共に、折返された先端部間が対向して前記一対のアーム部(4) を構成し、
前記第１軸部(3) は短い棒材よりなり、その両端部が前記一対の脚部(2) の折返し部内に夫々挿通され、
前記第２軸部(5) は短い棒材よりなり、その両端が前記一対のアーム(4) に夫々固定されたショルダーベルトの係止金具。
【請求項３】
請求項１において、
前記金具本体(1) と第１軸部(3) および第２軸部(5) とが、ダイキャストモールドまたは合成樹脂の射出成形体により一体に形成されたショルダーベルトの係止金具。
【考案の詳細な説明】
【技術分野】
【０００１】
本考案は、ショルダーベルトをカバンやバッグに着脱自在に取付けるため、カバン等の側部に取付けられる係止金具に関する。
【背景技術】
【０００２】
カバンやバッグには、ショルダーベルトを係脱自在に取り付けるものが多く存在する。  このようなショルダーベルトは、図６に示す如く、カバン９の両側部9aに支持部材11を介して予めリング状係止金具15を取付けておき、ショルダーベルト８の両端に設けた連結金具10のフック部10ａを係脱自在にリング状係止金具15に係止していた。この例では、連結金具10の開口側にスライドピン13がツマミ14により開閉自在に摺動され、その閉塞状態を図示しないバネの付勢力により保持している。
【０００３】
なお、連結金具10は一般にその上部と下部（フック部10a ）とが別部材で造られ、両者が上下方向に伸びる軸部で回動自在に連結され、ベルトの捩れに対してより戻しを行っている。
また、支持部材11は通常カバン９の材質と同一のもの（革または布等）を用い、それをＵ字状に折り返し、折り返し部にリング状係止金具15の下端を挟持し、その支持部材11を側部9aに縫着していた。
【考案の開示】
【考案が解決しようとする課題】
【０００４】
従来のリング状係止金具15は、その平面がカバン９の側部9aに平行に配置されている。そのため連結金具10のフック部10ａをリング状係止金具15の上端に係止すると、フック部10ａが側部9aに直交する。すると、突出するフック部10a がカバン９の側部9aの側に向く。そして、使用中にフック部10ａが側部9aにしばしば接触し、それが繰り返されると側部9a表面に擦れが生ずる。即ち、側部9aの傷の原因となる。
【０００５】
特に、側部9aが革材等からなる場合には、その擦れ部分が目立ち易く、高級なカバンを台無しにすることになる。
そこで、本考案はショルダーベルト８の端部に設けた連結金具10のフック部10ａの突出側と、カバン９の側部9aとが接触して擦れ合うことがないショルダーベルトの係止金具を提供することを課題とする。
【課題を解決するための手段】
【０００６】
請求項１に記載の本考案のショルダーベルトの係止金具は、それがカバン(9) またはバックの側部(9a)に取付られる。そして、その係止金具は、ショルダーベルト(8) の端部に設けた連結金具(10)のフック部(10a) に係脱自在に係止されるものである。
ここに於いて、本考案の特徴とするところは、
金具本体(1) の下端部には、一対の脚部(2) が対向して突設され、両脚部(2) 間が第１軸部(3) で連結される。
その金具本体(1) の上端部には、一対のアーム部(4) が対向して配置され、両アーム部(4) 間が第２軸部(5) で連結される。
さらに、第１軸部(3) と第２軸部(5) とが互いに直交するように配置される。          そして、その第１軸部(3) が前記カバン(9) またはバックの側部(9a)に平行に取付られるものである。
【０００７】
請求項２に記載の本考案の係止金具は、上記構成において、
その金具本体(1) として、中央部に開口部(6) を有する金属板片を、その開口の中間で折返し曲折して、一対の脚部(2) をその折返し曲折部に形成すると共に、折返された先端部間が対向して、一対のアーム部(4) を構成し、
また、第１軸部(3) を短い棒材とし、その両端部を前記一対の脚部(2) の折返し部内に夫々挿通し、
さらに、第２軸部(5) を短い棒材とし、その両端を前記一対のアーム(4) に夫々固定することができるものである。
【０００８】
請求項３に記載の本考案の係止金具は、上記構成において、
前記金具本体(1) と第１軸部(3) および第２軸部(5) とを、ダイキャストモールドまたは合成樹脂の射出成形体により一体に形成することができるものである。
【考案の効果】
【０００９】
本考案のショルダーベルトの係止金具は、金具本体１の下端に設けられた第１軸部３と、上端に設けられた第２軸部５とが互いに直交するように配置され、その第１軸部３がカバン９等の側部9aに平行に取付けられるように構成したから、金具本体１の第２軸部５に連結金具10のフック部10ａを係脱自在に係止すると、そのフック部10ａはカバン９の側部9aに平行になり、フック部10ａによって側部9aを損傷するおそれがない。
【００１０】
上記構成において、金具本体１を金属板片の折り曲げ体で構成し、その中央部に開口部６を設け、その開口の中央で折り返して曲折し、その折り返し曲折部に脚部２を形成すると共に、折り返された先端部間を対向して一対のアーム部４を形成し、短い棒材よりなる第１軸部３の両端部を脚部２の折り返し部内に挿通させ、短い棒材よりなる第２軸部５の両端を一対のアーム部４に夫々固定することができる。
このようにすることにより、丈夫で製造容易な係止金具を安価に提供できる。
【００１１】
上記構成において、金具本体１と第１軸部３と第２軸部５とを一体としたダイキャストモールドまたは合成樹脂の射出成形体とすることができる。
この場合には、体裁の良い一体型係止金具を提供できる。
【考案を実施するための最良の形態】
【００１２】
次に、図面に基づいて本考案の実施の形態につき説明する。
図１は本考案の第１の実施の形態を示すショルダーベルトの係止金具の斜視図であり、図２は図１のII−II矢視断面図である。また、図３は同係止金具の金具本体１の展開状態を示す平面図である。そして図４は同係止金具の使用状態を示す説明図である。
この例の係止金具は、金属板のプレス加工からなる金具本体１と第１軸部３と第２軸部５とからなる。金具本体１は、展開状態で図３の如く、プレス加工により打ち抜き形成した金属板片を折り曲げたものである。即ち、金具本体１の展開状態は、中心部から上下両端部にその幅が細くなる上下対称の舌片状に形成され、その中央部に矩形の開口部６が形成されている。そして上下両端部から中間部にかけてリブ1aが形成されると共に、両端に夫々孔７が穿設されたものである。
【００１３】
このような金具本体１を開口部６の上下方向中央位置で折り曲げると共に、その折り曲げ部を断面が半円以上となる弧状に曲折し、図１及び図２の如く形成する。このとき、金具本体１の下端部には一対の脚部２が平面方向に離間して配置され、金具本体１の上端部にはその厚み方向に離間して一対のアーム部４が配置される。そして一対の脚部２間の前記弧状内に第１軸部３が挿入されて、脚部２の曲折部によってその両端部を挟持する。
また、一対のアーム部４の孔７に第２軸部５を挿通し、その端部をカシメてカシメ部16を形成する。
このとき、金具本体１のリブ1aの回りは相対的に図２に示す如く凹陥して、対向面間が互いに近接する。しかしながら、第２軸部５の周縁は対向面間が広く形成されている。これは、後述する連結金具10のフック部10ａを容易に係脱できるようにしたものである。
【００１４】
（使用方法）
この係止金具12は、図４に示す如く、支持部材11を介して係止金具12の第１軸部３がカバン９の側部9aに平行になるように止着される。即ち、一例としてカバン９の側部9aと同じ材質の支持部材11を第１軸部３の回りに懸け回し、折り返してそれを側部9aに縫着する。すると、第１軸部３が側部9aに平行に位置される。このとき、上端に位置する第２軸部５は第１軸部３に直交する。そこで、この第２軸部５に連結金具10のフック部10ａを係脱自在に止着する。なお、連結金具10はショルダーベルト８の両端部に夫々取付けられ、その平面側が側部9aに平行になる。これは、側部9aに直交する第２軸部５に、さらに直交してフック部10ａの環状部が係脱自在に係止されるからである。その結果、使用中にショルダーベルト８を揺動させても、連結金具10の突出側が側部9aに接触することがない。そのため、その接触に基づく側部9aの損傷を生じない。
【００１５】
次に、図５は本考案の第２の実施の形態を示し、この例が前記第１の形態と異なる点は、金具本体１の形状である。この例も、金属板をプレス加工して上下方向中間に開口部６を形成し、その開口部６の上下方向の中間を折り曲げてその下端部両側に一対の脚部２を形成すると共に、上端部の前後方向に一対のアーム部４を位置させる。そして、脚部２の側部を折り曲げてそこを閉塞すると共に、第１軸の挿通孔を形成する。そして短い棒状の第１軸部３を一対の脚部２の下端部の孔に挿通し、その端部をカシメてカシメ部16を形成し、第１軸部３の両端部を脚部２に固定する。さらに短い針金状の棒材からなる第２軸部５を一対のアーム部４の孔７に挿通し、その端部をカシメてカシメ部16を設け、それにより第２軸部５を一対のアーム部４に固定して、本考案の第２の係止金具を完成する。この例でも、第１軸部３と第２軸部５とは互いに直交する。そしてその使用方法は図４のそれと同様であり、両者は金具本体１の形状のみ異なる。
【００１６】
（他の実施例）
上記の各実施例は、金具本体１を金属板のプレス加工により形成し、それに短い棒材よりなる第１軸部３と第２軸部５とを取付たが、それらに代えて、金具本体１と第１軸部３と第２軸部５とをダイキャストモールドや樹脂の射出成形体で一体に構成することもできる。
【図面の簡単な説明】
【００１７】
【図１】本考案のショルダーベルトの第１の実施例の係止金具の斜視図。
【図２】図１のII−II矢視断面図。
【図３】同係止金具の金具本体１の展開状態を示す平面図。
【００１８】
【図４】同係止金具の使用状態を示す説明図。
【図５】本考案の第２の実施の形態を示すショルダーベルトの係止金具の斜視図。
【図６】従来型のリング状係止金具15の使用状態を示す説明図。
【符号の説明】
【００１９】
１  金具本体
1a  リブ
1b  挟持部
２  脚部
３  第１軸部
４  アーム部
５  第２軸部
６  開口部
７  孔
【００２０】
８  ショルダーベルト
９  カバン
9a  側部
10  連結金具
10ａ  フック部
11  支持部材
12  係止金具
13  スライドピン
14  ツマミ
15  リング状係止金具
16  カシメ部
【図１】
0003125099.tif 000003
【図２】
0003125099.tif 000004
【図３】
0003125099.tif 000005
【図４】
0003125099.tif 000006
【図５】
0003125099.tif 000007
【図６】
0003125099.tif 000008